(57)【要約】【課題】  平常走行時に用いられる通常のガイドシューとは別体に設けた補助ガイドシューにより、地震時における瞬間的なガイドレールの大きなたわみに追従可能にしたエレベータの脱レール防止装置を得る。【解決手段】  昇降体１に設けられ、平常走行時にガイドレール２に沿って昇降体を案内する通常のガイドシュー４と、通常のガイドシューとは別体に設けられ、地震時荷重によるガイドレール２のたわみに追従する補助ガイドシュー５とを備える。【選択図】    図１
2005225668.tif 000002
【特許請求の範囲】
【請求項１】
昇降体に設けられ、平常走行時にガイドレールに沿って昇降体を案内する通常のガイドシューと、
前記通常のガイドシューとは別体に設けられ、地震時荷重によるガイドレールのたわみに追従する補助ガイドシューと、
を備えたことを特徴とするエレベータの脱レール防止装置。
【請求項２】
補助ガイドシューは、地震時におけるガイドレールの瞬間的なたわみに対し追従可能とするため、通常のガイドシューよりも長い伸縮可動部を備えた構成であることを特徴とする請求項１記載のエレベータの脱レール防止装置。
【請求項３】
昇降体の上下部に通常のガイドシューを設け、この通常のガイドシューの外側に補助ガイドシューを設けたことを特徴とする請求項１記載のエレベータの脱レール防止装置。
【請求項４】
昇降体の上下部に補助ガイドシューを設け、この補助ガイドシューの外側に通常のガイドシューを設けたことを特徴とする請求項１記載のエレベータの脱レール防止装置。
【請求項５】
昇降体の上下部に補助ガイドシューを設け、この補助ガイドシューの外側に通常のガイドシューを設け、更にこの通常のガイドシューの外側に通常の給油器を設けたことを特徴とする請求項１記載のエレベータの脱レール防止装置。
【請求項６】
通常のガイドシューと補助ガイドシューは、互いのシュー支え部材の水平部が重合されて締結されることを特徴とする請求項３〜請求項５のいずれかに記載のエレベータの脱レール防止装置。
【発明の詳細な説明】
【技術分野】
【０００１】
この発明は、エレベータの脱レール防止装置に関するものである。
【背景技術】
【０００２】
一般的なエレベータのかご室と釣合おもりは、ガイドシューによりガイドレールに案内されて昇降路内を昇降するよう構成されている。このため、地震発生時にはかご室及び釣合おもりの上下に設置されたガイドシューを介して、ガイドレールに地震力が作用する。
この地震カによりガイドレールにたわみが生じるため、地震力が作用したガイドレールの反対側のガイドシューは、ガイドレールから離れる方向に変位する。この変位量がガイドシューとガイドレールのかかり代より大きくなると脱レールが生じることになる。
この脱レールを防止する従来装置として、補助ガイドレールを備えたものがある（例えば、特許文献１参照）。
【０００３】
【特許文献１】実開昭５３−７００５７号公報
【発明の開示】
【発明が解決しようとする課題】
【０００４】
従来のエレベータの脱レール防止装置においては、補助ガイドレールは、昇降路全高に設置する必要があるため、コストが高くなり、設置スペースを確保する必要も有る。また、たわみ量を小さくするためにサイズの大きいガイドレールを適用するため、更にコストが高くなるという欠点があった。
【０００５】
この発明は、上述のような課題を解決するためになされたもので、平常走行時に用いられる通常のガイドシューとは別体に設けた補助ガイドシューにより、地震時における瞬間的なガイドレールの大きなたわみに追従可能にしたエレベータの脱レール防止装置を提供するものである。
【課題を解決するための手段】
【０００６】
この発明に係るエレベータの脱レール防止装置においては、昇降体に設けられ、平常走行時にガイドレールに沿って昇降体を案内する通常のガイドシューと、通常のガイドシューとは別体に設けられ、地震時荷重によるガイドレールのたわみに追従する補助ガイドシューとを備えたものである。
【発明の効果】
【０００７】
この発明のエレベータの脱レール防止装置によれば、昇降体に設けられ、平常走行時にガイドレールに沿って昇降体を案内する通常のガイドシューと、通常のガイドシューとは別体に設けられ、地震時荷重によるガイドレールのたわみに追従する補助ガイドシューとを備えたので、地震時荷重により通常のガイドシューがガイドレールから外れても、補助ガイドシューによって脱レールを未然に防止することができる。
【発明を実施するための最良の形態】
【０００８】
実施の形態１．
図１はこの発明を実施するための実施の形態１におけるエレベータの脱レール防止装置を示す概略構成図、図２はこの発明の実施の形態１におけるエレベータの脱レール防止装置が地震時荷重を受けた時の状態を示す正面図である。
エレベータのかごガイド装置は、かご室１の上下の左右両端部にそれぞれ配置され、ガイドレール２に沿ってかご室１を昇降案内するものである。かごガイド装置は、かご枠の上梁３の左右両端部上にそれぞれ設けられた通常のガイドシュー４と、この通常のガイドシュー４とは別体でその上部に重合してそれぞれ設けられた補助ガイドシュー５とを備えている。通常のガイドシュー４は、平常走行時にガイドレール２に沿って案内されるシュー部材４ａと、上梁３の左右両端部上に取り付けられたシュー支え部材４ｂとから構成されている。このシュー支え部材４ｂは、上梁３上に直接固定される水平取付部４ｃ、シュー部材４ａを取り付けるための垂直部４ｄ、上部水平部４ｅを備えている。補助ガイドシュー５は、通常のガイドシュー４よりもかご室１の外方に離れた位置でガイドレール２と係合する補助シュー部材５ａと、通常のガイドシュー４のシュー支え部材４ｂ上に取り付けられた補助シュー支え部材５ｂと、ガイドレール２に補助シュー部材５ａを押し付けるためのばね５ｃとから構成されている。補助シュー支え部材５ｂは、通常のガイドシュー４のシュー支え部材４ｂの上部水平部４ｅ上に重合載置されてボルト、ナットにより締結固定される水平取付部５ｄ、補助シュー部材５ａを取り付けるための垂直部５ｅを備えている。また、補助シュー支持軸５ｆは通常のガイドシュー４の支持軸４ｆよりも長い支持軸としている。
【０００９】
平常走行時は、エレベータのかごガイド装置は通常のガイドシュー４で反力を受け持っている。地震時荷重により、ガイドレール２が瞬間的に大きくたわむ場合は、図２に示すように、かご室１の上下の両端部において、かご室１の外方に離れた位置に設置された補助ガイドシュー５の補助シュー部材５ａがばね５ｃの力によってガイドレール２との接触を保つことにより、脱レールを未然に防止することができる。
上記の説明では、かご側のガイド装置に補助ガイドシューを取り付けた場合について説明したが、釣合おもり側のガイド装置に同様の補助ガイドシューを取り付けても、同様の効果が得られる。
【００１０】
実施の形態２．
図３はこの発明の実施の形態２におけるエレベータの脱レール防止装置を示す概略構成図である。
実施の形態２は、補助ガイドシュー５を上梁３と通常のガイドシュー４の間に設置したものである。かごガイド装置は、かご枠の上梁３の左右両端部上にそれぞれ設けられた補助ガイドシュー５と、この補助ガイドシュー５とは別体でその上部に重合してそれぞれ設けられた通常のガイドシュー４とを備えている。補助ガイドシュー５は、地震時にガイドレール２に沿って案内される補助シュー部材５ａと、上梁３の左右両端部上に取り付けられた補助シュー支え部材５ｂと、ガイドレール２に補助シュー部材５ａを押し付けるためのばね５ｃとから構成されている。この補助シュー支え部材５ｂは、上梁３上に直接固定される水平取付部５ｄ、補助シュー部材５ａを取り付けるための垂直部５ｅ、上部水平部５ｇを備えている。通常のガイドシュー４は、補助ガイドシュー５よりもかご室１の外方に離れた位置で平常走行時にガイドレール２に沿って案内されるシュー部材４ａと、補助ガイドシュー５のシュー支え部材５ｂ上に取り付けられたシュー支え部材４ｂとから構成されている。このシュー支え部材４ｂは、補助ガイドシュー５の補助シュー支え部材５ｂの上部水平部５ｇ上に重合載置されてボルト、ナットにより締結固定される水平取付部４ｃ、シュー部材４ａを取り付けるための垂直部４ｄ、通常の給油器６を取り付けるための上部水平部４ｅを備えている。また、補助シュー支持軸５ｆは通常のガイドシュー４の支持軸４ｆよりも長い支持軸としている。
【００１１】
この実施の形態２においても、地震時荷重により通常のガイドシュー４がガイドレール２から外れても、補助ガイドシュー５によって脱レールを未然に防止することができる。
また、通常のガイドシュー４を補助ガイドシュー５の上部に設置することにより、通常の給油器６の設置を可能とすることができる。
かご下部についても同様に、非常止め等のかご下機器（図示せず）と通常のガイドシューの間に補助ガイドシューを取り付けることができる。
この場合は、図３を上下逆にした形になり、かご下部においても通常の給油器の設置が可能となる。
上記の説明では、かご側のガイド装置に補助ガイドシューを取り付けた場合について説明したが、釣合おもり側のガイド装置に同様の補助ガイドシューを取り付けても、同様の効果が得られる。
【図面の簡単な説明】
【００１２】
【図１】この発明の実施の形態１におけるエレベータの脱レール防止装置を示す概略構成図である。
【図２】この発明の実施の形態１におけるエレベータの脱レール防止装置が地震時荷重を受けた時の状態を示す正面図である。
【図３】この発明の実施の形態２におけるエレベータの脱レール防止装置を示す概略構成図である。
【符号の説明】
【００１３】
１  かご室
２  ガイドレール
３  上梁
４  通常のガイドシュー
４ａ  シュー部材
４ｂ  シュー支え部材
４ｃ  水平取付部
４ｄ  垂直部
４ｅ  上部水平部
４ｆ  支持軸
５  補助ガイドシュー
５ａ  補助シュー部材
５ｂ  補助シュー支え部材
５ｃ  ばね
５ｄ  水平取付部
５ｅ  垂直部
５ｆ  支持軸
５ｇ  上部水平部
６  通常の給油器
【図１】
2005225668.tif 000003
【図２】
2005225668.tif 000004
【図３】
2005225668.tif 000005